(57)【要約】【課題】光磁気記録媒体にデータを高速度で良好に記録すること。【解決手段】記録装置１は、書込時間の割合を示す書込比率を１未満の所定の値（例えば０．８）として、複数クラスタ分連続してデータを光磁気記録媒体（図１ではミニディスク１０１）に記録する。【選択図】  図１
2004220647.tif 000002
【特許請求の範囲】
【請求項１】
磁気変調記録方式の光磁気記録媒体にデータを記録する記録装置において、
上記光磁気記録媒体への書込時間の割合である書込比率を１未満の所定の値として、複数クラスタ分連続してデータを上記光磁気記録媒体に記録すること、
を特徴とする記録装置。
【請求項２】
前記書込比率を０．８５以下としてデータを光磁気記録媒体に記録すること、
を特徴とする請求項１記載の記録装置。
【請求項３】
３クラスタ分連続してデータを、前記光磁気記録媒体としてのミニディスクに記録することを特徴とする請求項１または請求項２記載の記録装置。
【請求項４】
前記書込比率を０．８としてデータを記録することを特徴とする請求項１から請求項３のうちのいずれか１項記載の記録装置。
【請求項５】
磁気変調記録方式の光磁気記録媒体に所定の圧縮形式でデータを記録する記録装置において、
上記圧縮形式で圧縮された状態のデータを受信する受信手段と、
上記受信手段により受信されたデータを、上記光磁気記録媒体への書込時間の割合である書込比率を１未満の所定の値として、複数クラスタ分連続して上記光磁気記録媒体に記録する記録手段と、
を備えることを特徴とする記録装置。
【請求項６】
前記受信手段により受信されたデータを一時的に蓄積するバッファを備え、
前記記録手段は、上記バッファに前記複数クラスタ分のデータが蓄積されるとそのデータを前記光磁気記録媒体に記録すること、
を特徴とする請求項５記載の記録装置。
【請求項７】
前記記録手段は、前記書込比率を０．８５以下としてデータを前記光磁気記録媒体に記録することを特徴とする請求項５または請求項６記載の記録装置。
【請求項８】
前記光磁気記録媒体は、ミニディスクであり、
前記受信手段は、ミニディスク用の圧縮形式で予め圧縮されたデータを受信し、
前記記録手段は、３クラスタ連続してデータを記録すること、
を特徴とする請求項５から請求項７のうちのいずれか１項記載の記録装置。
【請求項９】
前記記録手段は、前記書込比率を０．８としてデータを記録することを特徴とする請求項５から請求項８のうちのいずれか１項記載の記録装置。
【請求項１０】
磁気変調記録方式の光磁気記録媒体にデータを記録する記録方法において、
上記光磁気記録媒体への書込時間の割合である書込比率を１未満の所定の値として、複数クラスタ分連続してデータを上記光磁気記録媒体に記録すること、
を特徴とする記録方法。
【請求項１１】
磁気変調記録方式の光磁気記録媒体に所定の圧縮形式でデータを記録する記録方法において、
上記圧縮形式で圧縮された状態のデータを受信し、
受信した上記データを、上記光磁気記録媒体への書込時間の割合である書込比率を１未満の所定の値として、複数クラスタ分連続して上記光磁気記録媒体に記録すること、
を特徴とする記録方法。
【発明の詳細な説明】
【０００１】
【発明の属する技術分野】
本発明は、記録装置および記録方法に関する。
【０００２】
【従来の技術】
近年のデジタルオーディオ技術の発展に伴い、音楽信号をデジタルデータとして記録媒体に格納することが可能となっている。その場合、記録時には、音楽信号はデジタルデータに変換され、そのデジタルデータがミニディスクなどの記録媒体に記録される。そして再生時には、そのデジタルデータが記録媒体から読み出され、音楽信号に変換され、その音楽信号が、増幅などの処理を経てスピーカ、ヘッドホンなどの機器に供給され、音楽が出力される。
【０００３】
さらには、デジタルデータの特徴を利用して音楽データをデジタル機器間で転送することが可能となっており、最近では、インターネットといったコンピュータネットワーク、デジタル衛星放送などの伝送媒体を使用して、音楽データをユーザのパーソナルコンピュータなどの端末装置へ配信するサービスが存在する（特許文献１参照）。そのようなサービスとしては、ｎｅｔＭＤ（商標）などがある。
【０００４】
図６は、従来の記録装置２０１の構成例を示すブロック図である。この従来の記録装置２０１は、音楽データの配信サービスなどにより取得された音楽データを録音再生用ミニディスク１０１に記録する装置である。図６に示す従来の記録装置２０１において、チェックアウト制御部２１１は、ＵＳＢ（Ｕｎｉｖｅｒｓａｌ  Ｓｅｒｉａｌ  ｂｕｓ）ケーブル２０３によりＥＭＤ（Ｅｌｅｃｔｒｏｎｉｃ  Ｍｕｓｉｃ  Ｄｉｓｔｒｉｂｕｔｉｏｎ  ）ターミナル２０２に接続され、ＡＴＲＡＣ（Ａｄａｐｔｉｖｅ  ＴＲａｎｓｆｏｒｍ  Ａｃｏｕｓｔｉｃ  Ｃｏｄｉｎｇ）形式で圧縮された音楽データを取得し、記録再生部２１２に供給する回路である。なお、チェックアウト制御部２１１は、その音楽データについてチェックアウトの回数制限などのセキュリティ処理を行う。
【０００５】
また、記録再生部２１２は、録音再生用ミニディスク（以下、単に、ミニディスクという）１０１へ音楽データを記録したり、ミニディスク１０１に記録された音楽データを再生する装置である。記録再生部２１２では、スピンドルモータ３４および送り機構３７により、ミニディスク１０１に対する、記録ヘッド３９および光ピックアップ３６で構成されるヘッド部の位置が設定され、記録時には、記録ヘッド３９および光ピックアップ３６により、その位置にデータが記録され、再生時には、光ピックアップ３６により、その位置に記録されたデータが読み出される。
【０００６】
デジタル信号処理回路（以下、ＤＳＰという）２２１は、スピンドルモータ３４および送り機構３７を制御して、ミニディスク１０１に対するヘッド部の位置を制御し、記録時には、チェックアウト制御部２１１またはその他の機器から、ＡＴＲＡＣ形式で予め圧縮された音楽データまたはＰＣＭ（Ｐｕｌｓｅ  Ｃｏｄｅ  Ｍｏｄｕｌａｔｉｏｎ  ）の音楽データを取得し、そのデータから生成したアナログ信号をヘッドドライバ３８へ供給し、再生時には、信号抽出部３５から得られるアナログ信号をデジタルデータに変換する。
【０００７】
次に、従来の記録装置２０１のデータ記録時の動作について説明する。図７は、従来の記録装置２０１のデータ記録時の動作について説明するフローチャートである。
【０００８】
記録装置２０１は、録音開始要求を受け付けたか否かを監視し（ステップＳ１０１）、録音開始要求を受け付けると、ミニディスク１０１に録音が可能か否かを判定する（ステップＳ１０２）。記録装置２０１は、ミニディスク１０１に録音が可能ではないと判定した場合、録音処理を行わずに処理を終了する。一方、ミニディスク１０１に録音が可能であると判定した場合には、記録装置２０１は、録音処理を開始する（ステップＳ１０３）。
【０００９】
録音処理は、録音停止要求があるまで継続され、録音停止要求があると、録音処理が停止され、記録装置２０１は、処理を終了する（ステップＳ１０４）。
【００１０】
録音処理では、ＣＤ、ラジオなどの音源から得られた非圧縮形式（すなわち、ＰＣＭ形式）の音楽データが供給される場合には、ＤＳＰ２２１は、その音楽データをＡＴＲＡＣ形式で圧縮し、圧縮後の音楽データをバッファメモリ２２２に一時的に記憶させていく。
【００１１】
一方、チェックアウト制御部２１１から音楽データが供給される場合には、ＤＳＰ２２１は、音楽データが既にＡＴＲＡＣ形式で圧縮されているので、その圧縮された音楽データをそのままバッファメモリ２２２に一時的に記憶させていく。
【００１２】
そして、ＤＳＰ２２１は、バッファメモリ２２２に、ミニディスク１０１の１クラスタ分のデータが蓄積されたか否かを判定し（ステップＳ１０５）、１クラスタ分のデータが蓄積された場合には、その１クラスタ分のデータの、ミニディスク１０１への書込処理を行う（ステップＳ１０６）。なお、その１クラスタ分のデータの書込みが完了した後、その１クラスタ分のデータは、バッファメモリ２２２から消去される。
【００１３】
図８は、従来の記録装置２０１により、リアルタイム音源の音楽データを受信した場合におけるレーザ光照射のオン／オフを示すタイミングチャートである。ＣＤ、ラジオなどのリアルタイム音源の音楽データを圧縮して記録する場合には、１クラスタ分の音楽データは、ミニディスク１０１の１クラスタ分のデータ量にリアルタイム音源の出力レートを乗じた時間（ＣＤ１倍速の場合には約２．０４３３６秒）で供給され、数百ミリ秒程度でミニディスク１０１に書き込まれる。このため、リアルタイム音源から音楽データが供給される場合には、図８に示すように、書込待機時間（すなわち、レーザ光照射停止時間）ｔｗが、書込み時間（すなわち、光ピックアップ３６によるレーザ光照射時間）ｔに比べて長くなる。
【００１４】
図９は、従来の記録装置２０１により、圧縮済データを受信した場合におけるレーザ光照射のオン／オフを示すタイミングチャートである。ｎｅｔＭＤ（商標）などの音楽データ配信サービスで得られる音楽データを記録する場合には、１クラスタ分の音楽データは、リアルタイム音源の音楽データの供給に比べ非常に短い時間で供給され、ミニディスク１０１に書き込まれる。このため、音楽データ配信サービスで得られる音楽データが供給される場合には、図９に示すように、書込待機時間（すなわち、レーザ光照射停止時間）ｔｗが、リアルタイム音源の音楽データの場合（図８）の書込み待機時間ｔｗに比べて短くなる。
【００１５】
【特許文献１】
特開２０００−９００３９号公報（従来の技術欄）
【００１６】
【発明が解決しようとする課題】
しかしながら、従来の記録装置２０１では、音楽データ配信サービスにより得られた音楽データをミニディスク１０１に記録する場合、リアルタイム音源と同様に１クラスタずつ音楽データを記録していき、ヘッド部などの機械的制御の開始と停止が繰り返されるため、結果として記録速度を高くすることが困難であるという問題がある。
【００１７】
また、従来の記録装置２０１において、データを連続して書込むことで記録速度を高くしようとすると、光ピックアップ３６によるレーザ光照射が連続するため、ヘッド部の温度やレーザ光照射のための電力を供給する電源部の温度が許容値を超えて上昇してしまう可能性がある。
【００１８】
本発明は、上記の問題に鑑みてなされたものであり、光磁気記録媒体にデータを高速度で良好に記録することができる記録装置および記録方法を得ることを目的とする。
【００１９】
【課題を解決するための手段】
上記の課題を解決するために、本発明の記録装置は、光磁気記録媒体への書込時間の割合である書込比率を１未満の所定の値として、複数クラスタ分連続してデータを光磁気記録媒体に記録する。
【００２０】
さらに、本発明の記録装置は、上記発明の記録装置に加え、書込比率を０．８５以下としてデータを光磁気記録媒体に記録する。
【００２１】
さらに、本発明の記録装置は、上記発明の記録装置のいずれかに加え、３クラスタ分連続してデータを、光磁気記録媒体としてのミニディスクに記録する。
【００２２】
さらに、本発明の記録装置は、上記発明の記録装置のいずれかに加え、書込比率を０．８としてデータを記録する。
【００２３】
本発明の記録装置は、圧縮形式で圧縮された状態のデータを受信する受信手段と、受信手段により受信されたデータを、光磁気記録媒体への書込時間の割合である書込比率を１未満の所定の値として、複数クラスタ分連続して光磁気記録媒体に記録する記録手段とを備える。
【００２４】
さらに、本発明の記録装置は、上記発明の記録装置に加え、受信手段により受信されたデータを一時的に蓄積するバッファを備える。そして、記録手段は、バッファに複数クラスタ分のデータが蓄積されるとそのデータを光磁気記録媒体に記録する。
【００２５】
さらに、本発明の記録装置は、上記発明の記録装置のいずれかに加え、記録手段が、書込比率を０．８５以下としてデータを光磁気記録媒体に記録するようにしたものである。
【００２６】
さらに、本発明の記録装置は、上記発明の記録装置のいずれかに加え、受信手段がミニディスク用の圧縮形式で予め圧縮されたデータを受信し、記録手段が３クラスタ連続してデータを光磁気記録媒体としてのミニディスクに記録するようにしたものである。
【００２７】
さらに、本発明の記録装置は、上記発明の記録装置のいずれかに加え、記録手段が書込比率を０．８としてデータを記録するようにしたものである。
【００２８】
本発明の記録方法は、光磁気記録媒体への書込時間の割合である書込比率を１未満の所定の値として、複数クラスタ分連続してデータを光磁気記録媒体に記録する。
【００２９】
本発明の記録方法は、圧縮形式で圧縮された状態のデータを受信し、受信したデータを、光磁気記録媒体への書込時間の割合である書込比率を１未満の所定の値として、複数クラスタ分連続して光磁気記録媒体に記録する。
【００３０】
【発明の実施の形態】
以下、図に基づいて本発明の実施の形態を説明する。
【００３１】
図１は、本発明の実施の形態に係る記録装置の構成を示すブロック図である。図１において、記録装置１は、磁気変調記録方式の光磁気記録媒体としての録音再生用ミニディスク（以下、単に、ミニディスクという）１０１に特定の圧縮形式（ＡＴＲＡＣ３形式を含むＡＴＲＡＣ形式など）でデータを記録する記録装置であって、ミニディスク１０１への書込時間の割合である書込比率を１未満の所定の値として、複数クラスタ分ずつ連続してデータを記録する記録装置である。
【００３２】
また、ＥＭＤ（Ｅｌｅｃｔｒｏｎｉｃ  Ｍｕｓｉｃ  Ｄｉｓｔｒｉｂｕｔｉｏｎ  ）ターミナル２は、ケーブル３を介して記録装置１に接続され、音楽データ配信サービスにより音楽データをダウンロード可能な端末装置である。このＥＭＤターミナル２は、例えば、コンピュータネットワークに直接的にまたは間接的に接続可能なパーソナルコンピュータに、音楽データ配信サービスを享受するための専用プログラムをインストールすることで実現可能である。
【００３３】
なお、記録装置１とＥＭＤターミナル２との間のケーブル３は、両者間を接続するインターフェースに適合するものとされる。この実施の形態では、一例として、ＵＳＢがインタフェースとして使用され、ケーブル３がＵＳＢケーブルとされる。なお、ＵＳＢ以外のインタフェースを使用しても勿論よい。
【００３４】
記録装置１において、チェックアウト制御部１１は、ＥＭＤターミナル２から、記録媒体用に規定された圧縮形式（ここでは、ミニディスク用のＡＴＲＡＣ形式）で圧縮された状態のデータを受信する受信手段として機能する回路群または装置である。
【００３５】
また、記録再生部１２は、ミニディスク１０１へデータを記録したり、ミニディスク１０１に記録されたデータを再生したりする装置であって、さらに、チェックアウト制御部１１により受信されたデータを、書込比率を１未満の所定の値として、複数クラスタ分連続してミニディスク１０１に記録する記録手段として機能する装置である。
【００３６】
また、操作部１３は、ユーザの操作を受け付け、その操作に応じた信号を出力する装置である。表示部１４は、記録装置１の状態、各種処理の状態などを表示する装置である。
【００３７】
記録装置１のチェックアウト制御部１１において、セキュリティ回路２１は、ＥＭＤターミナル２との間で制御データ（チェックアウトに係る各種指令や処理状態のデータ）を送受するとともに、ＥＭＤターミナル２から暗号化された音楽データを受信し、その音楽データを復号化し、復号化された音楽データを記録再生部１２に転送する回路である。例えばセキュリティ回路２１により、ＯｐｅｎＭＧ（商標）に従って著作権保護のために暗号化された音楽データが、復号化される。
【００３８】
なお、この実施の形態では、記録装置１とＥＭＤターミナル２との間のインターフェースにＵＳＢが使用され、上記制御データは、ＵＳＢのコントロール転送により送受され、上記暗号化された音楽データは、ＵＳＢのバルク転送により転送される。
【００３９】
また、セキュリティ回路コントローラ２２は、セキュリティ回路２１により受信された制御データをシステムコントローラ２３に供給したり、システムコントローラ２３からの指令に基づいてセキュリティ回路２１を制御したりする回路である。なお、このセキュリティ回路コントローラ２２は、例えばマイクロコンピュータおよび制御プログラムにより実現することができる。
【００４０】
また、システムコントローラ２３は、操作部１３に対するユーザの操作、ＥＭＤターミナル２からの指令などに応じて、セキュリティ回路コントローラ２２や記録再生部コントローラ３３に各種指令を供給し、チェックアウト処理、記録処理、再生処理などを実行させる回路である。なお、このシステムコントローラ２３は、例えばマイクロコンピュータおよび制御プログラムにより実現することができる。
【００４１】
記録装置１の記録再生部１２において、デジタル信号処理回路（以下、ＤＳＰという）３１は、絶対位置情報からＡＤＩＰアドレス情報をデコードするＡＤＩＰデコーダ、再生ＲＦ信号からＥＦＭ（Ｅｉｇｈｔ−ｔｏ−Ｆｏｕｒｔｅｅｎ  ）データを取得し、そのＥＦＭデータからデータ（ミニディスク１０１の場合、ＡＴＲＡＣ形式圧縮データ、以下、ＡＴＲＡＣデータという）、ＥＦＭアドレス情報、サブコードなどを取得するＥＦＭデコーダ、ＡＴＲＡＣデータを非圧縮データへデコードするＡＴＲＡＣデコーダ、読み出されたＡＴＲＡＣデータをバッファリングし一定レートでＡＴＲＡＣデコーダへ供給するショックプルーフメモリコントローラ、非圧縮データをＡＴＲＡＣデータへエンコードするＡＴＲＡＣエンコーダ、ＡＴＲＡＣデータなどをＥＦＭ変調するＥＦＭエンコーダなどの機能を有する回路である。なお、このＤＳＰ３１は、例えばマイクロコンピュータおよび制御プログラムや、専用ＬＳＩにより実現することができる。
【００４２】
また、バッファメモリ３２は、ミニディスク１０１に記録される、圧縮済みのデータを一時的に記憶するメモリである。なお、バッファメモリ３２は、例えばＤＲＡＭで構成される。
【００４３】
また、記録再生部コントローラ３３は、ＡＤＩＰアドレス情報、ＥＦＭアドレス情報、バッファメモリ３２内のデータの書込みポインタ、読み出しポインタなどを取得し、ミニディスク１０１のアドレスサーチの指示、光ピックアップ３６の制御の指示、ＡＴＲＡＣデータのデコードの開始の指示などを行う回路である。なお、この記録再生部コントローラ３３は、例えばマイクロコンピュータおよび制御プログラムにより実現することができる。
【００４４】
また、信号抽出部３５は、光ピックアップ３６により得られた、反射光に基づく検出信号を増幅するＲＦアンプを有し、その検出信号から、各種演算処理により、再生ＲＦ信号、トラッッキングエラー信号、フォーカスエラー信号、グルーブ情報などを抽出する回路である。なお、グルーブ情報とは、ミニディスク１０１にプリグルーブとして記録されている絶対位置情報（ＡＤＩＰアドレス情報）である。
【００４５】
光ピックアップ３６は、記録時には、ミニディスク１０１の記録トラックをキュリー温度まで過熱するための高レベルのレーザ光を出力し、再生時には、ミニディスク１０１の記録トラックに低レベルのレーザ光を出力し、その反射光に基づいてその記録トラックに記録されているデータを電気信号として検出する光学装置である。記録ヘッド３９は、ミニディスク１０１に磁界を印加する装置であり、コイルなどで構成される。
【００４６】
また、スピンドルモータ３４は、ミニディスク１０１を回転させるモータである。送り機構３７は、ヘッド部を構成する光ピックアップ３６および記録ヘッド３９をミニディスク１０１の径方向に移動させる機構であり、駆動源として例えばモータを有する。
【００４７】
また、ヘッドドライバ３８は、記録すべきデータに基づき変調された信号を記録ヘッド３９に供給する回路である。
【００４８】
なお、ミニディスク１０１へのデータの記録は、磁界変調方式で行われる。すなわち、記録時には、光ピックアップ３６からのレーザ光により記録トラックの温度がキュリー温度まで上昇させ、記録すべきデータに基づき変調された磁界が記録ヘッド３９から記録トラックに印加される。これにより、ミニディスク１０１の記録トラックがデータの値に応じて磁化されることとなり、データが保存される。そして、再生時には、磁気カー効果を利用して、記録トラックの磁化状態からデータが再生される。
【００４９】
次に、上記装置の動作について説明する。図２は、本発明の実施の形態に係る記録装置１の動作について説明するフローチャートである。
【００５０】
記録装置１は、ユーザ操作またはＥＭＤターミナル２からの指令などによる録音開始要求を受け付けたか否かを監視し（ステップＳ１）、録音開始要求を受け付けると、ミニディスク１０１に録音が可能か否かを判定する（ステップＳ２）。記録装置１は、ミニディスク１０１に録音が可能ではないと判定した場合、録音処理を行わずに処理を終了する。例えば、ミニディスク１０１が記録装置１に挿入されていなかったり、ミニディスク１０１のライトプロテクタが記録不可に設定されている場合には、録音が可能ではないと判断される。
【００５１】
一方、ミニディスク１０１に録音が可能であると判定した場合には、記録装置１は、録音処理を開始する（ステップＳ３）。ＥＭＤターミナル２からの音楽データを記録する場合には、記録装置１の記録再生部コントローラ３３は、３クラスタ分のデータの転送時間を図示せぬタイマに設定し、チェックアウト制御部１１からのデータ転送の開始から計時を開始する。
【００５２】
録音処理は、録音停止要求があるまで継続され、録音停止要求があると、録音処理が停止され、記録装置１は、処理を終了する（ステップＳ４）。
【００５３】
録音処理では、ＣＤ、ラジオなどの音源から得られた非圧縮形式（すなわち、ＰＣＭ形式）の音楽データが供給される場合には、ＤＳＰ３１は、その音楽データをＡＴＲＡＣ形式で圧縮し、圧縮後の音楽データをバッファメモリ３２に一時的に記憶させていき、チェックアウト制御部１１から既にＡＴＲＡＣ形式で圧縮された音楽データが供給される場合には、ＤＳＰ３１は、その圧縮された音楽データをバッファメモリ３２に一時的に記憶させていく。
【００５４】
そして、記録再生部コントローラ３３は、タイマの値がゼロであるか否かを判定する（ステップＳ３）。
【００５５】
ＥＭＤターミナル２からの圧縮済みデータをミニディスク１０１に記録する場合には、３クラスタ分のデータの転送時間が経過したら、タイマの値がゼロとなる。したがって、ＥＭＤターミナル２からの圧縮済みデータを記録する場合には、３クラスタ分のデータ転送が完了すると、ＤＳＰ３１は、データが１クラスタ分以上蓄積されており（ステップＳ６）、かつ圧縮済データの記録であるので（ステップＳ７）、３クラスタ分の音楽データ（ＡＴＲＡＣデータ）をミニディスク１０１に書込む。そして、書込みが完了すると、記録再生部コントローラ３３は、タイマに、再度３クラスタ分のデータ転送時間をセットし（ステップＳ９）、データ転送が完了するまで待機する（ステップＳ５）。なお、その３クラスタ分のデータの書込みが完了した後、その３クラスタ分のデータは、バッファメモリ３２から消去される。以下、すべての録音処理（記録処理）が完了するまで、同様の処理を繰り返す。
【００５６】
一方、他の音源の非圧縮の音楽データを記録する場合、録音開始時にはタイマがセットされず、タイマの値は、常にゼロである。したがって、ＤＳＰ３１は、データが１クラスタ分以上蓄積されるまで待機し（ステップＳ６）、データが１クラスタ分以上蓄積されると、圧縮済データではないので（ステップＳ７）、バッファメモリ３２に蓄積された１クラスタ分のデータをミニディスク１０１に書き込む。そして、書込みが完了すると、ＤＳＰ３１は、再度、１クラスタ分のデータが蓄積されるまで待機する（ステップＳ６）。なお、その１クラスタ分のデータの書込みが完了した後、その１クラスタ分のデータは、バッファメモリ３２から消去される。以下、すべての録音処理（記録処理）が完了するまで、同様の処理を繰り返す。
【００５７】
このように、記録装置１は、ＣＤ、ラジオなどのリアルタイム音源の非圧縮の音楽データの記録と、音楽データ配信サービスの圧縮済みの音楽データの記録とで、１回に書込むデータ量を変化させる。
【００５８】
また、この実施の形態に係る記録装置１では、圧縮済みの音楽データの記録の場合、書込時間の割合である書込比率（すなわち、書込時間／（書込時間＋書込待機時間））を１未満とし、３クラスタ分のデータを書き込んだ後、光ピックアップ３６によるレーザ光の照射を停止し、書込待機時間を設けている。
【００５９】
図３は、本発明の実施の形態に係る記録装置１により、圧縮済データを受信した場合におけるレーザ光照射のオン／オフを示すタイミングチャートである。図３では、光ピックアップ３６によるレーザ光照射時間ｔが書込時間に対応し、光ピックアップ３６によるレーザ光照射の停止時間ｔｗが書込待機時間に対応する。
【００６０】
圧縮済みの音楽データを記録する場合、３クラスタ分の音楽データは、リアルタイム音源の音楽データの供給に比べ、非常に短い時間で供給される。例えば書込みサイクル（書込みの開始タイミングの周期＝ｔ＋ｔｗ）が１１５０ミリ秒の場合、記録再生部１２は、書込比率を８０パーセントとして、９２０ミリ秒で３クラスタ分のデータをミニディスク１０１に書き込み、２３０ミリ秒の間待機し、その間に次の３クラスタ分のデータの取得を完了する。このため、レーザ光の照射時間ｔと照射停止時間ｔｗとの比が８：２（＝ｔ：ｔｗ）となる。
【００６１】
一方、ＣＤ、ラジオなどのリアルタイム音源の非圧縮の音楽データを圧縮して記録する場合には、１クラスタ分の音楽データは、ミニディスク１０１の１クラスタ分のデータ量にリアルタイム音源の出力レートを乗じた時間（ＣＤ１倍速の場合には約２．０４３３６秒）で供給され、数百ミリ秒程度でミニディスク１０１に書き込まれる。このため、リアルタイム音源から音楽データが供給される場合には、図８の場合と同様に、書込待機時間（すなわち、レーザ光照射停止時間）ｔｗが、書込み時間（すなわち、光ピックアップ３６によるレーザ光照射時間）ｔに比べて長くなる。
【００６２】
次に、本発明の実施の形態に係る記録装置１における記録時の各部の温度変化について説明し、温度条件の観点から書込比率の好適な値について説明する。
【００６３】
図４は、本発明の実施の形態に係る記録装置１におけるヘッド部の温度測定結果の一例を示す図である。ヘッド部の温度測定の際には、実際のヘッド部を取り外し、測定用ダミーヘッドを取り付け、非摺動状態で、書込比率を変化させてレーザ光を照射し、記録ヘッドのコイルの温度を測定した。図４の測定結果では、書込比率を８５パーセントとした場合、１００パーセントとした場合より、コイル温度の上昇が抑えられている。通常、記録ヘッドのコイルの許容温度は摂氏１５５度程度であるので、いずれの場合も問題となる数値ではないが、書込比率を８５パーセントとした場合のほうが、マージンが大きくなる。
【００６４】
図５は、本発明の実施の形態に係る記録装置１におけるヘッド駆動回路部の温度測定結果の一例を示す図である。ヘッド駆動回路部の温度測定の際には、書込比率を変化させてレーザ光を照射し、ヘッドドライバ回路、電源回路のトランジスタ、および電源回路の抵抗の温度を測定した。図５の測定結果では、書込比率を８５パーセントとした場合、１００パーセントとした場合より、各素子の温度の上昇が抑えられている。通常、抵抗素子の許容温度は、摂氏−５５度程度から摂氏１２５度程度の間であり、書込比率を１００パーセントとすると、抵抗素子の温度が、許容温度の上限に近くなり、マージンが小さいため実用化上好ましくない。一方、書込比率を８５パーセントとすると、抵抗素子の温度上昇が抑えられ、許容温度の上限までのマージンを４０度近く確保でき、好ましい。
【００６５】
また、通常、装置内の温度上昇許容値は摂氏７０度程度であるため、書込比率を１００パーセントとすると、温度上昇が９０度程度となり、許容値を超えてしまっており、装置の実用化が難しい。一方、書込比率を８５パーセントとすると、温度上昇が６０度程度となり、許容値以下となるため、実用化上好ましい。
【００６６】
このように、上記温度測定結果から、記録装置１による書込比率を８５パーセント以下とすることが好ましい。ただし、書込比率を低くすると、書込待機時間が長くなるため、ミニディスク１０１への記録レートは低くなる。したがって、書込比率は、８５パーセント以下で、８５パーセントに近いほうがより好ましい。
【００６７】
つまり、複数クラスタ分のデータを連続して記録する場合には、書込比率を８５パーセント以下とし、さらに、書込みサイクルの周期と複数クラスタへの書込時間とから得られる値とすることが好ましい。例えば、書込みサイクルが１１５０ミリ秒であり、３クラスタへの書込時間が９２０ミリ秒である場合、２クラスタ連続書込や４クラスタ連続書込とせずに、書込比率を８０パーセントとして３クラスタ連続書込とすることが好ましい。
【００６８】
以上のように、上記実施の形態によれば、記録装置１は、書込比率を１未満の所定の値として、複数クラスタ分連続してデータをミニディスク１０１に記録する。これにより、ミニディスク１０１にデータを高速度で良好に記録することができる。
【００６９】
さらに、上記実施の形態によれば、記録装置１は、書込比率を０．８５以下としてデータをミニディスク１０１に記録する。これにより、装置内の温度上昇を抑えつつミニディスク１０１にデータを高速度で良好に記録することができる。すなわち、ピックアップレンズなどに不具合が生じることなく、高速度で記録を行うことができる。
【００７０】
さらに、上記実施の形態によれば、記録装置１は、ミニディスク１０１にデータを記録し、その際、３クラスタ分連続してデータを記録する。これにより、特にミニディスク１０１についてデータを高速度で良好に記録することができる。
【００７１】
さらに、上記実施の形態によれば、記録装置１は、ミニディスク１０１にデータを記録し、その際、書込比率を０．８としてデータを記録する。これにより、特にミニディスク１０１についてデータを高速度で良好に記録することができる。
【００７２】
さらに、上記実施の形態によれば、記録装置１のチェックアウト制御部１１は、所定の圧縮形式で圧縮された状態のデータを受信し、記録装置１の記録再生部１２は、記録装置１のチェックアウト制御部１１により受信されたデータを、書込比率を１未満の所定の値として、複数クラスタ分連続してミニディスク１０１に記録する。これにより、圧縮済データをミニディスク１０１に記録する場合に、データを高速度で良好に記録することができる。例えば、ｎｅｔＭＤ（商標）などによりダウンロードされた圧縮済音楽データ（ＡＴＲＡＣデータ）を高速度でミニディスク１０１に記録することができる。
【００７３】
なお、上述の実施の形態は、本発明の好適な例であるが、本発明は、これらに限定されるものではなく、本発明の要旨を逸脱しない範囲において、種々の変形、変更が可能である。
【００７４】
例えば、上述の実施の形態では、光磁気記録媒体として磁気変調方式の光磁気ディスクであるミニディスク１０１を使用しているが、他の光磁気記録媒体としてもよい。その場合、圧縮形式は、その光磁気記録媒体用に採用されているものとする。
【００７５】
また、上述の実施の形態では、１回にデータを書き込むクラスタの数を３としているが、書込みサイクルなどの値に応じて、１回にデータを書き込むクラスタの数を２としたり、４以上としてもよい。
【００７６】
また、上述の実施の形態では、チェックアウト制御部１１により音楽データが復号化されるが、音楽データの復号化が必要ない場合には、セキュリティ回路２１およびセキュリティ回路コントローラ２２を省略してもよい。その場合には、デジタル信号処理回路３１またはケーブル３に接続されるインタフェース回路が上述の受信手段として機能する。
【００７７】
また、上述の実施の形態では、記録再生部１２が、記録処理の他、再生処理も可能であるが、記録再生部１２の代わりに、記録処理のみを行う装置を使用するようにしてもよい。
【００７８】
【発明の効果】
本発明によれば、光磁気記録媒体にデータを高速度で良好に記録する記録装置および記録方法を得ることができる。
【図面の簡単な説明】
【図１】図１は、本発明の実施の形態に係る記録装置の構成を示すブロック図である。
【図２】図２は、本発明の実施の形態に係る記録装置の動作について説明するフローチャートである。
【図３】図３は、本発明の実施の形態に係る記録装置により、圧縮済データを受信した場合におけるレーザ光照射のオン／オフを示すタイミングチャートである。
【図４】図４は、本発明の実施の形態に係る記録装置におけるヘッド部の温度測定結果の一例を示す図である。
【図５】図５は、本発明の実施の形態に係る記録装置におけるヘッド駆動回路部の温度測定結果の一例を示す図である。
【図６】図６は、従来の記録装置の構成例を示すブロック図である。
【図７】図７は、従来の記録装置のデータ記録時の動作について説明するフローチャートである。
【図８】図８は、従来の記録装置により、リアルタイム音源の音楽データを受信した場合におけるレーザ光照射のオン／オフを示すタイミングチャートである。
【図９】図９は、従来の記録装置により、圧縮済データを受信した場合におけるレーザ光照射のオン／オフを示すタイミングチャートである。
【符号の説明】
１  記録装置
１１  チェックアウト制御部（受信手段）
１２  記録再生部（記録手段）
３２  バッファメモリ（バッファ）
１０１  ミニディスク（光磁気記録媒体）
【図１】
2004220647.tif 000003
【図２】
2004220647.tif 000004
【図３】
2004220647.tif 000005
【図４】
2004220647.tif 000006
【図５】
2004220647.tif 000007
【図６】
2004220647.tif 000008
【図７】
2004220647.tif 000009
【図８】
2004220647.tif 000010
【図９】
2004220647.tif 000011